(57)【要約】【課題】  通話時における、タッチパネルに対する耳や頬などの接触による誤動作、あるいはユーザの誤操作によるタッチパネルの誤動作を防止するとともに、通話時以外におけるタッチパネルに対するタッチ操作による処理の実行を確実に有効にすることができる携帯電話装置を提供する。【解決手段】  携帯電話装置（１）では、音声処理部（１３）によって音声が入力または出力されているか否かを判定部（１７１）が判定することで、通話状態であるか否かが判定される。判定部（１７１）によって通話状態であると判定されると、通話状態制御無効部（１７２）が、表示部（１１１）の表示面（１１１Ａ）に表示される通話状態制御画像（１９）における通話終了操作キー画像（１９Ｂ）などの特定操作キー画像に対応した通話状態の制御を無効にする。【選択図】      図１
2014165769.tif 000002
【特許請求の範囲】
【請求項１】
電話通信するための通信部と、
通話のための音声が入力または出力される音声入出力部と、
通話状態を制御するための複数の操作キー画像を含む通話状態制御画像が表示される表示面を有する表示部と、
前記表示面に対するタッチ操作によってタッチされた位置に対応する座標情報を出力するタッチ位置検出部と、
前記表示面に表示された前記通話状態制御画像における、前記タッチ位置検出部によって出力された座標情報に対応した操作キー画像に基づいて、通話状態を制御する制御部と、を備え、
前記制御部は、
前記音声入出力部によって音声が入力または出力されているか否かを判定する判定部と、
前記判定部による判定結果に基づいて、前記表示面に表示された前記通話状態制御画像における、予め定める一部の操作キー画像である特定操作キー画像に対応した通話状態の制御方式を切替える制御方式切替部と、を有することを特徴とする携帯電話装置。
【請求項２】
前記制御方式切替部は、
前記判定部によって音声が入力または出力されていると判定されると、前記表示面に表示された前記通話状態制御画像における、予め定める一部の操作キー画像である特定操作キー画像に対応した通話状態の制御を無効にする通話状態制御無効部と、
前記判定部によって音声が入力も出力もされていないと判定されると、前記表示面に表示された前記通話状態制御画像における、全ての操作キー画像に対応した通話状態の制御を有効にする通話状態制御有効部と、を有することを特徴とする請求項１に記載の携帯電話装置。
【請求項３】
前記判定部によって音声が入力も出力もされていないと判定されてからの経過時間を計時する計時部をさらに備え、
前記通話状態制御有効部は、前記計時部によって計時される経過時間が予め定める値となったときに、前記通話状態制御画像における全ての操作キー画像に対応した通話状態の制御を有効にすることを特徴とする請求項２に記載の携帯電話装置。
【請求項４】
コンピュータを、請求項１〜３のいずれか１つに記載の携帯電話装置における制御部として機能させるためのプログラム。
【請求項５】
請求項４に記載のプログラムを記録したコンピュータ読取可能な記録媒体。
【発明の詳細な説明】
【技術分野】
【０００１】
本発明は、携帯電話装置、プログラムおよび記録媒体に関する。
【背景技術】
【０００２】
近年、携帯電話装置として、タッチパネルを搭載したスマートフォンが普及している。スマートフォンに搭載されるタッチパネルは、ユーザによってタッチ操作される表示面を有し、その表示面に画像を表示する表示部と、該表示部に重畳されたタッチセンサとを備える。表示部の表示面には、タッチ操作対象の複数の操作キー画像が配置された操作制御画像が表示され、操作制御画像における操作キー画像に対するタッチ操作がユーザによってなされた場合に、その操作キー画像に対応する処理が実行される。
【０００３】
タッチパネルを搭載したスマートフォンでは、操作キー画像に対するタッチ操作がなされたときに該操作キー画像に対応する処理を実行する場合には、タッチパネルはオンの状態（操作キー画像に対応した処理を有効にする状態）となっている。一方、タッチパネルを搭載したスマートフォンで通話をするときには、タッチパネルが耳や頬などに触れて誤動作しないように、タッチパネルをオフの状態（操作キー画像に対応した処理を無効にする状態）にする制御が行われる。
【０００４】
タッチパネルのオン／オフ制御は、タッチパネルの近傍に配設される種々のセンサの検出信号に基づいて行われる。たとえば、特許文献１には、タッチパネルのオン／オフ制御のための近接センサおよび加速度センサを備える携帯電話装置が開示されている。特許文献１に開示される携帯電話装置によれば、加速度センサから出力される検出加速度の大きさに応じて近接センサの感度が制御された状態で、近接センサがタッチパネルの人体への接近を検出したときに、操作キー画像に対応した処理を無効にする。すなわち、特許文献１に開示される携帯電話装置では、通話時に携帯電話装置を耳や頬などの人体に接近させると近接センサがオン状態となり、このオン信号によってタッチパネルをオフとすることにより、タッチパネルが耳や頬などに触れて誤動作することを防止することができる。
【先行技術文献】
【特許文献】
【０００５】
【特許文献１】特開２０１１−６１３１６号公報
【発明の概要】
【発明が解決しようとする課題】
【０００６】
しかしながら、近接センサは、通話時以外でも、人体などが接近した場合にオン状態となるので、ユーザが通話時以外で操作キー画像に対するタッチ操作によって、その操作キー画像に対応した処理を実行させたいときに、その処理が無効になる不都合が発生する場合がある。
【０００７】
また、ハンズフリー状態で通話するときのように、携帯電話装置を耳や頬などの人体に接近させずに通話するときには、近接センサはオフ状態であるので、タッチ操作された操作キー画像に対応した処理が有効のままである。このような場合には、たとえば「通話終了」のための操作キー画像を誤ってタッチ操作してしまうと、ユーザの意図に反して通話が遮断されてしまい、通話時の誤操作を防止することができない。
【０００８】
さらにまた、近接センサは誤動作する場合があり、たとえば、通話時に携帯電話装置が耳や頬などの人体に接近しているにもかかわらず、たとえば髪の毛などの影響により近接センサがオフ状態となる誤動作が発生したときには、通話時において耳や頬などがタッチパネルに触れると、その接触した操作キー画像に対応した処理の実行が有効のままとなる。このような場合には、通話時に、たとえば「通話終了」のための操作キー画像に耳や頬などが触れてしまうと、ユーザの意図に反して通話が遮断されてしまい、通話時のタッチパネルの誤動作を防止することができない。
【０００９】
本発明の目的は、通話時における、タッチパネルに対する耳や頬などの接触による誤動作、あるいはユーザの誤操作によるタッチパネルの誤動作を防止するとともに、通話時以外におけるタッチパネルに対するタッチ操作による処理の実行を確実に有効にすることができる携帯電話装置、プログラムおよび記録媒体を提供することである。
【課題を解決するための手段】
【００１０】
本発明は、電話通信するための通信部と、
通話のための音声が入力または出力される音声入出力部と、
通話状態を制御するための複数の操作キー画像を含む通話状態制御画像が表示される表示面を有する表示部と、
前記表示面に対するタッチ操作によってタッチされた位置に対応する座標情報を出力するタッチ位置検出部と、
前記表示面に表示された前記通話状態制御画像における、前記タッチ位置検出部によって出力された座標情報に対応した操作キー画像に基づいて、通話状態を制御する制御部と、を備え、
前記制御部は、
前記音声入出力部によって音声が入力または出力されているか否かを判定する判定部と、
前記判定部による判定結果に基づいて、前記表示面に表示された前記通話状態制御画像における、予め定める一部の操作キー画像である特定操作キー画像に対応した通話状態の制御方式を切替える制御方式切替部と、を有することを特徴とする携帯電話装置である。
【００１１】
また本発明の携帯電話装置において、前記制御方式切替部は、
前記判定部によって音声が入力または出力されていると判定されると、前記表示面に表示された前記通話状態制御画像における、予め定める一部の操作キー画像である特定操作キー画像に対応した通話状態の制御を無効にする通話状態制御無効部と、
前記判定部によって音声が入力も出力もされていないと判定されると、前記表示面に表示された前記通話状態制御画像における、全ての操作キー画像に対応した通話状態の制御を有効にする通話状態制御有効部と、を有することを特徴とする。
【００１２】
また本発明の携帯電話装置は、前記判定部によって音声が入力も出力もされていないと判定されてからの経過時間を計時する計時部をさらに備え、
前記通話状態制御有効部は、前記計時部によって計時される経過時間が予め定める値となったときに、前記通話状態制御画像における全ての操作キー画像に対応した通話状態の制御を有効にすることを特徴とする。
【００１３】
また本発明は、コンピュータを、前記携帯電話装置における制御部として機能させるためのプログラムである。
【００１４】
また本発明は、前記プログラムを記録したコンピュータ読取可能な記録媒体である。
【発明の効果】
【００１５】
本発明に係る携帯電話装置によれば、制御部は、表示部の表示面に表示された通話状態制御画像における、タッチ位置検出部によって出力された座標情報に対応した操作キー画像に基づいて、通話状態を制御する。この制御部は、判定部と制御方式切替部とを有する。制御方式切替部は、判定部による、音声が入力または出力されているか否かの判定結果に基づいて、表示面に表示された通話状態制御画像における、予め定める一部の操作キー画像である特定操作キー画像に対応した通話状態の制御方式を切替える。この制御方式切替部は、通話状態制御無効部と通話状態制御有効部とにより構成される。通話状態制御無効部は、判定部によって音声が入力または出力されていると判定されると、表示面に表示された通話状態制御画像における、予め定める一部の操作キー画像である特定操作キー画像に対応した通話状態の制御を無効にする。通話状態制御有効部は、判定部によって音声が入力も出力もされていないと判定されると、表示面に表示された通話状態制御画像における、全ての操作キー画像に対応した通話状態の制御を有効にする。
【００１６】
このように構成される本発明に係る携帯電話装置では、音声が入力または出力されているか否かを判定部が判定することで、通話状態であるか否かが判定されるので、近接センサを用いる場合に比べて、通話状態であるか否かの判定をより正確に行うことができる。これによって、ユーザが通話時以外で操作キー画像に対するタッチ操作によって、その操作キー画像に対応した通話状態の制御を実行させたいときに、通話状態の制御が無効になる不都合が発生することを抑制することができる。
【００１７】
また、音声が入力または出力されているか否かを判定部が判定することで、通話状態であるか否かが判定されるので、ハンズフリー状態で通話するときのように、携帯電話装置を耳や頬などの人体に接近させずに通話するときにおいても、通話状態であるか否かの判定をより正確に行うことができる。これによって、ハンズフリー状態での通話時においても、表示部の表示面に表示された通話状態制御画像における特定操作キー画像に対応した通話状態の制御をより確実に無効にすることができ、よって、通話時の特定操作キー画像に対するタッチ操作のユーザによる誤操作で、携帯電話装置が誤動作することを防止することができる。
【００１８】
したがって、本発明に係る携帯電話装置によれば、通話時における、表示面に対する耳や頬などの接触による誤動作、あるいはユーザの誤操作による携帯電話装置の誤動作を防止するとともに、通話時以外における操作キー画像に対するタッチ操作による処理の実行を確実に有効にすることができる。
【図面の簡単な説明】
【００１９】
【図１】本発明の一実施形態に係る携帯電話装置１の主要な構成を示すブロック図である。
【図２】携帯電話装置１の構成を概略的に示す図である。
【図３】通話終了操作キー画像１９Ｂに対するパターンロックを解除するときの手順を説明するための図である。
【図４】制御部１７が通話状態制御プログラムを実行することによって行われる通話状態制御処理の処理手順を示すフローチャートである。
【発明を実施するための形態】
【００２０】
以下、本発明の携帯電話装置の実施の形態について、図面を参照しながら説明する。なお、この実施の形態によってこの発明が限定されるものではない。
【００２１】
図１は、本発明の一実施形態に係る携帯電話装置１の主要な構成を示すブロック図である。図２は、携帯電話装置１の構成を概略的に示す図である。携帯電話装置１は、スマートフォンであり、タッチパネル１１と、移動体通信モジュール１２と、音声処理部１３と、ノイズキャンセラ部１４と、計時部１５と、記憶部１６と、制御部１７とを含んで構成される。
【００２２】
タッチパネル１１は、ユーザによってタッチ操作される矩形状の表示面１１１Ａを有し、その表示面１１１Ａが外部に露出するように、筐体１８内に収容されている。タッチパネル１１は、その表示面１１１Ａに画像データに応じた画像を表示する表示部１１１と、表示部１１１に重畳されたタッチセンサ１１２とを有する。表示部１１１は、たとえば液晶パネルおよびバックライトを備える液晶ディスプレイ装置や、有機ＥＬ（Electro-Luminescence）ディスプレイ装置などの公知の表示装置によって実現される。
【００２３】
タッチセンサ１１２は、タッチ位置検出部として機能するものであり、たとえば投影型静電容量方式のセンサによって実現され、ユーザが指やスタイラスなどを用いて、表示面１１１Ａに対して行われたタッチ操作の表示面１１１Ａ上でのタッチ位置に対応する座標情報を、制御部１７へ出力する。
【００２４】
移動体通信モジュール１２は、電話通信するための通信部として機能するものであり、たとえばＩＭＴ−２０００（International Mobile Telecommunications 2000）規格に準拠した第３世代移動通信システムなどの移動体通信システムによる無線通信を実行する無線通信デバイスである。移動体通信モジュール１２は、移動体通信のセルラーネットワークの無線基地局との間で無線接続を確立することによって、ＣＤＭＡ（Code Division Multiple Access）などの方式によって無線通信を行う。
【００２５】
音声処理部１３は、音声入出力部として機能し、携帯電話装置１の電話機能により通話を行うための音声の入出力インターフェイスであり、受話口１３１Ａに設けられるスピーカ１３１、および、送話口１３２Ａに設けられるマイクロホン１３２が接続され、スピーカ１３１を介して音声を出力し、マイクロホン１３２を介して音声を入力する。また、音声処理部１３には、ノイズキャンセラ部１４が接続されている。
【００２６】
制御部１７から音声処理部１３に与えられた、通話相手などから受信した受話音声データ（デジタル信号）は、ノイズキャンセラ部１４によりノイズ（雑音）が抑圧される。ノイズキャンセラ部１４は、周波数領域減算法により、受話音声データに含まれるノイズ成分と同じノイズ成分を作成し、減算処理することでノイズ抑圧を行うが、作成したノイズ成分の減算比率である減算量を可変することで、ノイズ抑圧量を可変できるようになっている。そして、音声処理部１３は、ノイズキャンセラ部１４によりノイズが抑圧された受話音声データを、音声復号部で復号した後、ＤＡ変換器でデジタル信号からアナログ信号に変換し、増幅器で信号増幅した後、スピーカ１３１から出力する。
【００２７】
また、音声処理部１３は、ユーザが発した送話音声を、マイクロホン１３２により電気信号に変換し、増幅器で信号増幅した後、ＡＤ変換器でアナログ信号からデジタル信号に変換する。このようにして変換されたデジタル信号（送話音声データ）は、ノイズキャンセラ部１４によりノイズが抑圧される。ノイズキャンセラ部１４は、周波数領域減算法により、送話音声データに含まれるノイズ成分と同じノイズ成分を作成し、減算処理することでノイズ抑圧を行う。そして、音声処理部１３は、ノイズキャンセラ部１４によりノイズが抑圧された送話音声データを、音声符号化部で符号化した後、制御部１７に出力する。
【００２８】
なお、外部端子を介してハンズフリーセットが接続され、または、Ｂｌｕｅｔｏｏｔｈ（登録商標）近距離無線を介してハンズフリーセットが接続されて、ハンズフリー状態で通話する場合においても、音声の入出力の処理は、音声処理部１３が実行する。
【００２９】
記憶部１６は、フラッシュメモリなどの半導体メモリによって実現され、携帯電話装置１の基本的な機能を実現するオペレーティングシステム（ＯＳ：Operating System）プログラムが記憶されるとともに、電話機能を実現するための電話プログラム、電子メール機能を実現するメールプログラム、電話帳機能を実現するための電話帳プログラム、メモ帳機能を実現するためのメモ帳プログラム、およびＷｅｂブラウジング機能を実現するブラウザプログラムなどの種々のアプリケーションプログラムが記憶される。
【００３０】
本実施形態では、この記憶部１６には、後述する通話状態制御処理を実行するためのプログラム（以下、「通話状態制御プログラム」と称する）が記憶されている。
【００３１】
なお、この通話状態制御プログラムは、携帯電話装置１に予めインストールされていてもよく、または、インターネットからダウンロードするなどして取得し、インストールされてもよい。
【００３２】
制御部１７は、携帯電話装置１の各部の動作を制御する処理部であり、たとえばＣＰＵ（Central Processing Unit）、ＲＯＭ（Read Only Memory）およびＲＡＭ（Random Access Memory）によって実現される。
【００３３】
制御部１７は、記憶部１６からＲＡＭにロードされるオペレーティングシステムプログラムおよびアプリケーションプログラムを実行するとともに、通話状態制御プログラムを実行する。
【００３４】
制御部１７は、判定部１７１と、制御方式切替部として機能する通話状態制御無効部１７２および通話状態制御有効部１７３と、を含んで構成される。制御部１７は、通話状態制御プログラムを実行することによって、本発明における判定部１７１、通話状態制御無効部１７２、および通話状態制御有効部１７３として機能する。また、記憶部１６には、後述する通話状態制御無効部１７２が特定操作キー画像に対応した通話状態の制御を無効にするために、特定操作キー画像に対して設定するパターンロックのロックパターンが、ユーザにより予め設定されて格納されているものとする。
【００３５】
制御部１７は、記憶部１６に記憶されている通話状態制御プログラムを実行することによって、通話時に表示面１１１Ａに表示された通話状態制御画像１９における、タッチセンサ１１２によって出力された座標情報に対応した操作キー画像１９Ａ〜１９Ｆに基づいて、通話状態を制御する場合に、通話状態制御処理を行う。
【００３６】
制御部１７は、他の電話装置からの着信があった場合に、電話アプリケーションを起動し、通話相手を識別するための情報、ならびに予め定める特定操作キー画像を含む複数の操作キー画像１９Ａ〜１９Ｆが配置された通話状態制御画像１９を表示面１１１Ａに表示させて、通話状態を確立する。
【００３７】
なお、通話状態制御画像１９に配置される操作キー画像１９Ａ〜１９Ｆは、通話時の通話状態を制御するためのキー画像であり、たとえば、図２に示す操作キー画像１９Ａは通話相手を追加する処理を実行するためのキー画像であり、操作キー画像１９Ｂは通話を終了する処理を実行するためのキー画像であり、操作キー画像１９Ｃは通話相手との通信時にダイヤル処理を実行するためのキー画像であり、操作キー画像１９Ｄは通話相手との通話を保留する処理を実行するためのキー画像であり、操作キー画像１９Ｅはマイクロホン１３２を介して入力される音声を消去する処理を実行するためのキー画像であり、操作キー画像１９Ｆはスピーカ１３１を介して出力される音声の音量を調整する処理を実行するためのキー画像である。本実施形態では、通話状態制御画像１９における複数の操作キー画像１９Ａ〜１９Ｆのうち、通話を終了する処理を実行するための操作キー画像（以下、「通話終了操作キー画像」と称する）１９Ｂが、特定操作キー画像として設定されている。
【００３８】
制御部１７は、通話状態制御画像１９が表示された表示面１１１Ａに対するタッチ操作によって、操作キー画像１９Ａ〜１９Ｆがタッチされた場合に、そのタッチされた操作キー画像１９Ａ〜１９Ｆに対応した通話状態の制御を実行する。
【００３９】
制御部１７の判定部１７１は、通話状態が確立された状態で、音声処理部１３によって音声が入力または出力されているか否かを判定する。すなわち、判定部１７１は、音声処理部１３によって音声が入力または出力されているか否かを判定することで、携帯電話装置１が通話状態であるか否かを判定する。本実施形態では、判定部１７１は、ノイズキャンセラ部１４によってノイズが抑圧された受話音声データおよび送話音声データが、音声処理部１３で入力または出力されているか否かを判定する。
【００４０】
通話状態制御無効部１７２と通話状態制御有効部１７３とにより構成される制御方式切替部は、判定部１７１による、音声が入力または出力されているか否かの判定結果に基づいて、表示面１１１Ａに表示された通話状態制御画像１９における、通話終了操作キー画像１９Ｂに対応した通話状態の制御方式を切替える。
【００４１】
制御方式切替部が通話状態制御無効部１７２と通話状態制御有効部１７３とにより構成される本実施形態では、通話状態制御無効部１７２は、判定部１７１によって音声が入力または出力されていると判定されると、表示面１１１Ａに表示された通話状態制御画像１９における、通話終了操作キー画像１９Ｂに対応した通話状態の制御を無効にする。通話状態制御無効部１７２は、通話終了操作キー画像１９Ｂに対してパターンロックを設定することによって、該通話終了操作キー画像１９Ｂに対応した通話状態の制御を無効にする。通話状態制御無効部１７２が通話終了操作キー画像１９Ｂに対してパターンロックを設定すると、ユーザにより予め設定されたロックパターンが表示面１１１Ａに描画されない限り、通話終了操作キー画像１９Ｂに対応した通話状態の制御が無効化される。換言すると、通話状態制御無効部１７２は、通話終了操作キー画像１９Ｂに対してパターンロックを設定することによって、ロックパターンが表示面１１１Ａに描画されてパターンロックが解除されるまで、通話終了操作キー画像１９Ｂに対応した通話状態の制御を無効にする。
【００４２】
図３は、通話終了操作キー画像１９Ｂに対するパターンロックを解除するときの手順を説明するための図である。
【００４３】
通話状態制御無効部１７２が通話終了操作キー画像１９Ｂに対して設定するパターンロックのロックパターンは、通話状態制御画像１９の通話終了操作キー画像１９Ｂが配置される領域内に予め設定される４個以上９個以下の複数の点を、所定の順序で通る線分の軌跡である。図３に示す例では、ロックパターンを規定する点として、通話状態制御画像１９の通話終了操作キー画像１９Ｂが配置される矩形領域内の、４つの角部にそれぞれ１個ずつ、合計４個の点２０Ａ〜２０Ｄが設定されている。そして、通話状態制御無効部１７２が設定するパターンロックのロックパターンは、通話終了操作キー画像１９Ｂが配置される矩形領域内において、左上角部に設定される点２０Ａ、右下角部に設定される点２０Ｂ、右上角部に設定される点２０Ｃに設定される点２０Ｃ、左下角部に設定される点２０Ｄを、この順序で通る線分の軌跡である。
【００４４】
上記のようなロックパターンで規定されるパターンロックが設定された通話終了操作キー画像１９Ｂに対しては、通話状態制御画像１９の通話終了操作キー画像１９Ｂが配置される矩形領域内に、点２０Ａ、点２０Ｂ、点２０Ｃ、点２０Ｄをこの順序で通る線分の軌跡で規定されるロックパターンを描画することによって、そのパターンロックを解除することができる。
【００４５】
通話状態制御有効部１７３は、判定部１７１によって音声が入力も出力もされていないと判定されると、表示面１１１Ａに表示された通話状態制御画像１９における、全ての操作キー画像１９Ａ〜１９Ｆに対応した通話状態の制御を有効にする。通話状態制御有効部１７３が全ての操作キー画像１９Ａ〜１９Ｆに対応した通話状態の制御を有効にした場合には、特定操作キー画像である通話終了操作キー画像１９Ｂに対するパターンロックの設定は解除され、ロックパターンの描画操作が行われなくても、通話終了操作キー画像１９Ｂに対するタッチ操作によって、通話終了のための処理が実行される。
【００４６】
本実施形態の携帯電話装置１は、計時部１５を備える。この計時部１５は、制御部１７の判定部１７１によって音声が入力または出力されていると判定された後に、該判定部１７１によって音声が入力も出力もされていないと判定されてからの経過時間（音声入出力監視タイマ）を計時する。
【００４７】
そして、通話状態制御無効部１７２は、判定部１７１によって音声が入力または出力されていると判定されたときに通話終了操作キー画像１９Ｂに対応した通話状態の制御を無効にし、計時部１５によって計時される経過時間（音声入出力監視タイマ）が予め定める値（たとえば、５秒）となるまで、通話終了操作キー画像１９Ｂに対応した通話状態の制御を無効にすることを継続させる。また、通話状態制御有効部１７３は、計時部１５によって計時される経過時間が予め定める値となったときに、通話状態制御画像１９における全ての操作キー画像１９Ａ〜１９Ｆに対応した通話状態の制御を有効にする。
【００４８】
図４は、制御部１７が通話状態制御プログラムを実行することによって行われる通話状態制御処理の処理手順を示すフローチャートである。
【００４９】
表示部１１１の表示面１１１Ａに、アプリケーションプログラム実行時のアプリケーション画像が表示されている状態で処理が開始され、ステップｓ１に進む。
【００５０】
ステップｓ１では、制御部１７は、他の電話装置からの着信の有無を判定し、着信があったと判定すると、電話アプリケーションを起動し、通話相手を識別するための情報、ならびに特定操作キー画像である通話終了操作キー画像１９Ｂを含む複数の操作キー画像１９Ａ〜１９Ｆが配置された通話状態制御画像１９を表示面１１１Ａに表示させる。そして、制御部１７は、通話状態制御画像１９における通話を開始するための通話開始操作キー画像がタッチ操作されることによって、携帯電話装置１の通話状態を確立する。
【００５１】
次に、ステップｓ２では、制御部１７は、他の電話装置からの着信が遮断されて、通話状態が切断されたか否かを判定する。通話状態が切断されたと判定されるとステップｓ８に進み、通話状態が切断されていないと判定されるとステップｓ３に進む。
【００５２】
ステップｓ３では、制御部１７の判定部１７１は、音声処理部１３によって音声が入力または出力されているか否かを判定する。本実施形態では、音声処理部１３によって音声が入出力されている場合には、その入出力される音声データは、ノイズキャンセラ部１４によってノイズが抑圧された受話音声データおよび送話音声データである。判定部１７１によって音声が入力または出力されていると判定された場合にはステップｓ４に進み、音声が入力も出力もされていないと判定された場合にはステップｓ６に進む。
【００５３】
ステップｓ４では、通話状態制御無効部１７２は、表示面１１１Ａに表示された通話状態制御画像１９における、通話終了操作キー画像１９Ｂに対してパターンロックを設定することによって、通話終了操作キー画像１９Ｂに対応した通話状態の制御を無効にする。
【００５４】
ステップｓ３において音声が入力または出力されていると判定され、ステップｓ４において通話終了操作キー画像１９Ｂに対応した通話状態の制御が無効にされた後の、ステップｓ５では、判定部１７１は、音声処理部１３によって音声が入力または出力されているか否かを判定する。判定部１７１によって音声が入力または出力されていると判定された場合にはステップｓ５を繰返し、音声が入力も出力もされていないと判定された場合にはステップｓ６に進む。
【００５５】
ステップｓ３およびステップｓ５において、判定部１７１によって音声が入力および出力されていないと判定された後の、ステップｓ６では、計時部１５は、判定部１７１によって音声が入力も出力もされていないと判定されてからの経過時間（音声入出力監視タイマ）の計時を開始する。
【００５６】
次に、ステップｓ７では、制御部１７は、判定部１７１によって音声が入力も出力もされていないと判定されてから５秒経過したか否かを判定する。５秒経過していないと判定された場合にはステップｓ７を繰返し、５秒経過したと判定された場合にはステップｓ８に進む。なお、このステップｓ７において５秒経過していないと判定された場合には、通話状態制御無効部１７２は、計時部１５によって計時される経過時間が予め定める値（５秒）となるまで、通話終了操作キー画像１９Ｂに対応した通話状態の制御を無効にすることを継続させる。
【００５７】
ステップｓ７において、判定部１７１によって音声が入力も出力もされていないと判定されてから５秒経過したと判定された後の、ステップｓ８では、通話状態制御有効部１７３は、表示面１１１Ａに表示された通話状態制御画像１９における、全ての操作キー画像１９Ａ〜１９Ｆに対応した通話状態の制御を有効にする。
【００５８】
以上のように、本実施形態の携帯電話装置１によれば、音声処理部１３によって音声が入力または出力されているか否かを判定部１７１が判定することで、通話状態であるか否かが判定される。判定部１７１によって通話状態である（音声処理部１３によって音声が入力または出力されている）と判定されると、通話状態制御無効部１７２が、表示部１１１の表示面１１１Ａに表示された通話状態制御画像１９における、通話終了操作キー画像１９Ｂに対応した通話状態の制御を無効にする。また、判定部１７１によって通話状態ではない（音声処理部１３によって音声が入力も出力もされていない）と判定されると、通話状態制御有効部１７３が、表示部１１１の表示面１１１Ａに表示された通話状態制御画像１９における、全ての操作キー画像１９Ａ〜１９Ｆに対応した通話状態の制御を有効にする。
【００５９】
このように構成される本実施形態の携帯電話装置１では、音声処理部１３によって音声が入力または出力されているか否かを判定することで、通話状態であるか否かが判定されるので、近接センサを用いる場合に比べて、通話状態であるか否かの判定をより正確に行うことができる。これによって、ユーザが通話時以外で操作キー画像１９Ａ〜１９Ｆに対するタッチ操作によって、その操作キー画像１９Ａ〜１９Ｆに対応した通話状態の制御を実行させたいときに、通話状態の制御が無効になる不都合が発生することを抑制することができる。
【００６０】
また、音声処理部１３によって音声が入力または出力されているか否かを判定することで、通話状態であるか否かが判定されるので、ハンズフリー状態で通話するときのように、携帯電話装置１を耳や頬などの人体に接近させずに通話するときにおいても、通話状態であるか否かの判定をより正確に行うことができる。これによって、ハンズフリー状態での通話時においても、表示部１１１の表示面１１１Ａに表示された通話状態制御画像１９における通話終了操作キー画像１９Ｂに対応した通話状態の制御をより確実に無効にすることができ、よって、通話時の通話終了操作キー画像１９Ｂに対するタッチ操作のユーザによる誤操作で、携帯電話装置１が誤動作することを防止することができる。
【００６１】
したがって、本実施形態の携帯電話装置１によれば、通話時における、表示面１１１Ａに対する耳や頬などの接触による誤動作、あるいはユーザの誤操作による携帯電話装置１の誤動作を防止するとともに、通話時以外における操作キー画像１９Ａ〜１９Ｆに対するタッチ操作による処理の実行を確実に有効にすることができる。
【００６２】
上記では、制御方式切替部が通話状態制御無効部１７２と通話状態制御有効部１７３とにより構成され、通話状態制御無効部１７２が、通話終了操作キー画像１９Ｂに対してパターンロックを設定することによって、通話終了操作キー画像１９Ｂに対応した通話状態の制御を無効にする構成について説明したが、本発明はこのような構成に限定されるものではない。
【００６３】
たとえば、制御部１７は、判定部１７１によって音声が入力または出力されていると判定されると、通話状態制御画像１９における特定操作キー画像である通話終了操作キー画像１９Ｂを複数表示させ、それらの複数の通話終了操作キー画像１９Ｂに対して同時にタッチ操作がなされたときに、通話終了操作キー画像１９Ｂに対応した通話状態の制御を実行するようにしてもよい。換言すれば、制御部１７は、判定部１７１によって音声が入力または出力されていると判定されると、複数の通話終了操作キー画像１９Ｂに対して同時にタッチ操作がなされるまでは、通話終了操作キー画像１９Ｂに対応した通話状態の制御を無効にする。この場合には、制御部１７は、判定部１７１によって音声が入力も出力もされていないと判定されると、１つの通話終了操作キー画像１９Ｂに対してタッチ操作がなされたときに、通話終了操作キー画像１９Ｂに対応した通話状態の制御を実行する。
【００６４】
また、制御部１７は、判定部１７１によって音声が入力または出力されていると判定されると、複数の数字（たとえば１〜４の整数）がそれぞれ割振られた複数の数字操作キー画像を表示させ、それらの複数の数字操作キー画像に対して順次タッチ操作がなされたときに、通話状態制御画像１９における特定操作キー画像である通話終了操作キー画像１９Ｂに対応した通話状態の制御を実行するようにしてもよい。換言すれば、制御部１７は、判定部１７１によって音声が入力または出力されていると判定されると、複数の数字操作キー画像に対して順次タッチ操作がなされるまでは、通話終了操作キー画像１９Ｂに対応した通話状態の制御を無効にする。この場合には、制御部１７は、判定部１７１によって音声が入力も出力もされていないと判定されると、１つの通話終了操作キー画像１９Ｂに対してタッチ操作がなされたときに、通話終了操作キー画像１９Ｂに対応した通話状態の制御を実行する。
【００６５】
また、制御部１７は、判定部１７１によって音声が入力または出力されていると判定されると、複数のドラム（たとえば３つ）により構成されるドラム式の選択コントロール画像を表示（ピッカー表示）させ、各ドラムに対するタッチ操作によって所定の条件を満たしたときに、通話状態制御画像１９における特定操作キー画像である通話終了操作キー画像１９Ｂに対応した通話状態の制御を実行するようにしてもよい。換言すれば、制御部１７は、判定部１７１によって音声が入力または出力されていると判定されると、ドラム式の選択コントロール画像における各ドラムに対するタッチ操作によって所定の条件を満たすまでは、通話終了操作キー画像１９Ｂに対応した通話状態の制御を無効にする。この場合には、制御部１７は、判定部１７１によって音声が入力も出力もされていないと判定されると、１つの通話終了操作キー画像１９Ｂに対してタッチ操作がなされたときに、通話終了操作キー画像１９Ｂに対応した通話状態の制御を実行する。
【００６６】
上記の実施形態では、通話状態制御プログラムは、半導体メモリによって実現される記憶部１６に記憶されているが、このような記憶装置に限定されるものではなく、コンピュータで読取り可能な記録媒体に記録されていてもよい。記録媒体は、たとえば図示しない外部記憶装置としてプログラム読取装置を設け、そこに記録媒体を挿入することによって読取り可能な記録媒体であってもよいし、または他の装置の記憶装置であってもよい。
【００６７】
いずれの記録媒体であっても、記録媒体に記憶されているプログラムがコンピュータからアクセスされて実行される構成であればよい。すなわち、いずれの記録媒体であっても、記録媒体からプログラムが読み出され、読み出されたプログラムが、記憶装置のプログラム記憶エリアに記憶されて、そのプログラムが実行される構成であればよい。さらに通信ネットワークを介して他の装置からダウンロードされてプログラム記憶エリアに記憶させてもよい。ダウンロード用のプログラムは、予めコンピュータの記憶装置に記憶しておくか、または別な記録媒体からプログラム記憶エリアにインストールしておく。
【００６８】
本体と分離可能に構成される記録媒体は、たとえば磁気テープ／カセットテープなどのテープ系の記録媒体、フロッピー（登録商標）ディスクなどの磁気ディスクのディスク系の記録媒体、フレキシブルディスク／ハードディスクなどの磁気ディスクもしくはＣＤ−ＲＯＭ（Compact Disk Read Only Memory）／ＭＯ（Magneto Optical disk）／ＭＤ（Mini Disk）／ＤＶＤ（Digital Versatile Disk）などの光ディスクのディスク系の記録媒体、ＩＣ（Integrated Circuit）カード（メモリカードを含む）／光カードなどのカード系の記録媒体、またはマスクＲＯＭ／ＥＰＲＯＭ（Erasable Programmable Read Only Memory）／ＥＥＰＲＯＭ（Electrically Erasable Programmable Read Only Memory）（登録商標）／フラッシュＲＯＭなどの半導体メモリを含む固定的にプログラムを担持する記録媒体であってもよい。
【符号の説明】
【００６９】
１  携帯電話装置
１１  タッチパネル
１２  移動体通信モジュール
１３  音声処理部
１４  ノイズキャンセラ部
１５  計時部
１６  記憶部
１７  制御部
１８  筐体
１９  通話状態制御画像
１９Ａ〜１９Ｆ  操作キー画像
１１１  表示部
１１１Ａ  表示面
１１２  タッチセンサ
１３１  スピーカ
１３２  マイクロホン
１７１  判定部
１７２  通話状態制御無効部
１７３  通話状態制御有効部
【図１】
2014165769.tif 000003
【図２】
2014165769.tif 000004
【図３】
2014165769.tif 000005
【図４】
2014165769.tif 000006